(57)【特許請求の範囲】
【請求項１】
課金対象サービスシステムから受け取る１セッション当たりの利用情報レコードを、課金ソフトウェアがセッションの途中経過に逐次対応したレコードとしてメディエーションデバイスから取得し得る利用情報のニア・リアルタイム取得方法であって、
前記メディエーションデバイスが、課金対象サービスシステムからのセッションの帯域幅の値を含むセッション開始通知信号を受信する段階と、
前記メディエーションデバイスが、１セッション内の利用情報レコードを時系列上で帯域幅の値と当該帯域幅の継続時間とを含む複数の部分利用情報レコードに分割し課金ソフトウェアに出力する段階と、
前記メディエーションデバイスが、帯域幅変更通知信号を受信した場合には、当該通知された帯域幅の値と当該帯域幅の継続時間とを部分利用情報レコードに反映させて課金ソフトウェアに出力する段階と、
前記メディエーションデバイスが、セッション終了通知信号を受信した場合には、セッション最後の部分利用情報レコードを課金ソフトウェアに出力する段階と
からなることを特徴とする利用情報のニア・リアルタイム取得方法。
【請求項２】
請求項１に記載されたニア・リアルタイム取得方法をコンピュータに実行させるためのニア・リアルタイム取得プログラム。
【請求項３】
請求項１に記載されたニア・リアルタイム取得方法をコンピュータに実行させるためのニア・リアルタイム取得プログラムを記録したコンピュータ読み取り可能な記録媒体。
【発明の詳細な説明】
【０００１】
【発明の属する技術分野】
本発明は、セッションの利用情報ソースから受け取る１セッション当たりの利用情報レコードをセッションの途中経過に逐次対応して生成される複数の部分利用情報レコードとして取得する利用情報のニア・リアルタイム取得方法およびニア・リアルタイム取得プログラムと該プログラムを記録した記録媒体に関する。
【従来の技術】
電話サービスにおける呼情報レコード（Call Detail Record；ＣＤＲ）やＲＡＤＩＵＳサーバログから生成される利用ログレコードでは、情報の最小単位は呼またはセッション（一度のサービス開始からサービス利用終了まで）であり、このような最小単位のセッション毎の利用情報は、図５に示すように、例えば課金対象サービスシステム１１からメディエーションデバイス１５に送信され、メディエーションデバイス１５から利用情報レコードとして課金ソフトウェア１７に送信され、１セッション毎に課金処理が行われるようになっている。
【０００２】
このような利用情報の１レコードは、（ａ）ある１セッションのサービス提供料（セッション継続時間、配信積算容量等）、および（ｂ）ある１セッションを通じて加工されたＱｏＳメトリクスなどのサービスパラメータの値の情報を含むことを意図したものである。また、この情報により１セッション毎に課金することが可能となっている。
【０００３】
【発明が解決しようとする課題】
上述した利用情報レコードは、従来、１セッションの終了毎に課金対象サービスシステム１１からメディエーションデバイス１５に供給されることになっていて、１セッションが終了しないと、メディエーションデバイス１５に供給されないため、ある１セッションの途中において、その直前までのサービス利用状況を利用情報レコードから知ることができないという問題がある。
【０００４】
すなわち、ある１セッションの途中の直前までのサービス利用に基づく課金額を定めることができないという問題がある。
【０００５】
本発明は、上記に鑑みてなされたもので、その目的とするところは、１セッションの利用情報レコードを複数の部分利用情報レコードに分割することによりセッションの途中であっても直前までのサービス利用状況を取得し得る利用情報のニア・リアルタイム取得方法およびニア・リアルタイム取得プログラムと該プログラムを記録した記録媒体を提供することにある。
【０００８】
【課題を解決するための手段】
上記目的を達成するため、請求項１記載の本発明は、課金対象サービスシステムから受け取る１セッション当たりの利用情報レコードを、課金ソフトウェアがセッションの途中経過に逐次対応したレコードとしてメディエーションデバイスから取得し得る利用情報のニア・リアルタイム取得方法であって、前記メディエーションデバイスが、課金対象サービスシステムからのセッションの帯域幅の値を含むセッション開始通知信号を受信する段階と、前記メディエーションデバイスが、１セッション内の利用情報レコードを時系列上で帯域幅の値と当該帯域幅の継続時間とを含む複数の部分利用情報レコードに分割し課金ソフトウェアに出力する段階と、前記メディエーションデバイスが、帯域幅変更通知信号を受信した場合には、当該通知された帯域幅の値と当該帯域幅の継続時間とを部分利用情報レコードに反映させて課金ソフトウェアに出力する段階と、前記メディエーションデバイスが、セッション終了通知信号を受信した場合には、セッション最後の部分利用情報レコードを課金ソフトウェアに出力する段階とからなることを要旨とする。
【０００９】
請求項１記載の本発明にあっては、メディエーションデバイスが、１セッション内の利用情報レコードを時系列上で帯域幅の値と当該帯域幅の継続時間とを含む複数の部分利用情報レコードに分割し課金ソフトウェアに出力する段階と、前記メディエーションデバイスが、帯域幅変更通知信号を受信した場合には、当該通知された帯域幅の値と当該帯域幅の継続時間とを部分利用情報レコードに反映させて課金ソフトウェアに出力することから、帯域幅とその帯域幅での継続時間を反映させた部分利用情報レコードによる課金計算を行うことができると共に、１セッションの途中においても、その直前までのサービス利用状況を部分利用情報レコードから知ることができ、このサービス利用状況から１セッション途中までの課金額を定めることも可能である。
【００１２】
請求項２記載の本発明は、請求項１に記載されたニア・リアルタイム取得方法をコンピュータに実行させるためのニア・リアルタイム取得プログラムであることを要旨とする。
【００１３】
請求項２記載の本発明にあっては、請求項１に記載されたニア・リアルタイム取得方法をコンピュータに実行させることも可能である。
【００１６】
更に、請求項３記載の本発明は、 請求項１に記載されたニア・リアルタイム取得方法をコンピュータに実行させるためのニア・リアルタイム取得プログラムを記録したコンピュータ読み取り可能な記録媒体であることを要旨とする。
【００１７】
請求項３記載の本発明にあっては、請求項１に記載されたニア・リアルタイム取得方法をコンピュータに実行させるためのニア・リアルタイム取得プログラムを記録したコンピュータ読み取り可能な記録媒体に記録しているため、該記録媒体を用いて、その流通性を高めることができる。
【００１８】
【発明の実施の形態】
以下、図面を用いて本発明の実施の形態を説明する。図１は、本発明の一実施形態に係る利用情報のニア・リアルタイム取得方法を説明するための図である。同図においては、本実施形態のメディエーションデバイス１３は、例えばＲＡＤＩＵＳサーバなどの課金対象サービスシステム１１から利用情報レコードを受け取る場合、該利用情報レコードのセッション開始時およびセッション終了時にそれぞれセッション開始通知信号ＳＳおよびセッション終了通知信号ＳＥを受け取り、これによりセッション継続時間従量課金を行うようになっている。なお、この場合の利用情報レコードのフォーマットは例えば図２に示すようにセッションを特定するセッション識別子とセッションの継続時間を表す開始時間と終了時間から構成されている。
【００１９】
メディエーションデバイス１３は、課金対象サービスシステム１１に関係なく、時間軸を例えば５秒毎の複数の時間区分に分けて定義している。そして、１セッションの利用情報レコードを課金対象サービスシステム１１から供給されると、メディエーションデバイス１３は、この利用情報レコードをセッション開始通知信号ＳＳから順に複数の時間区分に割り当てることにより、該利用情報レコードを各時間区分に対応した複数の部分利用情報レコードＲ１，Ｒ２，Ｒ３，…，Ｒ８に分割する。
【００２０】
すなわち、メディエーションデバイス１３は、課金対象サービスシステム１１からの利用情報レコードを各時間区分に対応して例えば５秒毎の複数の部分利用情報レコードＲ１，Ｒ２，Ｒ３，…，Ｒ８に分割して順次出力する。そして、このように分割された複数の部分利用情報レコードＲ１，Ｒ２，Ｒ３，…，Ｒ８は、出力順に逐次メディエーションデバイス１３から図１に示すような課金ソフトウェア１７に送られる。
【００２１】
なお、利用情報レコードのセッション開始通知信号ＳＳが入力されるセッション開始は、図１に示すように、５秒の時間区分の途中に一般に生成されるが、このセッション開始通知信号ＳＳの生成時点から該時間区分の終了時点までの時間が５秒の時間区分内のセッション継続時間として第１の部分利用情報レコードＲ１が生成される。図１の例では、５秒の時間区分の最初から２．１秒経過した時にセッション開始通知信号ＳＳが入力されているため、第１の部分利用情報レコードＲ１のセッション継続時間は、５秒から２．１秒を引いた２．９秒となる。なお、この最初の５秒の時間区分内でセッションが終了してセッション終了通知信号ＳＥが入力されると、この最初の５秒の時間区分におけるセッション継続時間が実際のセッション継続時間と一致するものとなる。
【００２２】
また、第１の部分利用情報レコードＲ１に続いて入力される第２の部分利用情報レコードＲ２から第７の部分利用情報レコードＲ７は、対応する各５秒の時間区分内でセッションが終了しないので、各部分利用情報レコードのセッション継続時間は、各時間区分に対応する５秒となる。
【００２３】
そして、第８の部分利用情報レコードＲ８は、５秒の時間区分内でセッションが終了して、セッション終了通知信号ＳＥがメディエーションデバイス１３に入力されるので、この５秒の時間区分の開始時点からセッション終了通知信号ＳＥの入力時点までの時間である図１では例えば２．１秒が第８の部分利用情報レコードＲ８のセッション継続時間となる。
【００２４】
上述したようにメディエーションデバイス１３において例えば５秒毎の時間区分に分割されて生成される複数の部分利用情報レコードＲ１，Ｒ２，Ｒ３，…，Ｒ８は、出力順に逐次メディエーションデバイス１３から図１に示すような課金ソフトウェア１７に送られる。課金ソフトウェア１７は、この順次供給される部分利用情報レコードＲ１，Ｒ２，Ｒ３，…，Ｒ８に基づき時間従量課金計算を行う。この結果、課金ソフトウェア１７は１セッション中の複数に分割された途中においても、その直前までのサービスの利用状況を知ることができるようになる。
【００２５】
次に、図３を参照して、本発明の他の実施形態に係る利用情報のニア・リアルタイム取得方法について説明する。本実施形態は、図１に示した実施形態におけるセッション継続時間従量課金に対してセッションの帯域幅を課金考慮パラメータとして追加したＱｏＳ課金の場合の例を示すものである。
【００２６】
図３に示す実施形態では、課金対象サービスシステム１１からメディエーションデバイス１３に入力されるセッション開始通知信号ＳＳとして、帯域幅の値を含んだセッション開始通知＋帯域幅値信号ＳＳ（＋Ｂ）が入力されるとともに、また図示のようにセッションの途中において帯域幅が変更されるような場合には、帯域幅変更通知信号ＳＣが課金対象サービスシステム１１からメディエーションデバイス１３に入力される。
【００２７】
なお、この帯域幅変更通知信号ＳＣを含む利用情報レコードのフォーマットは、例えば図４に示すようにセッションを特定するセッション識別子および帯域幅と該帯域幅のセッション継続時間情報を表す〈A Bandwidth Period〉フィールドから構成されている。この〈A Bandwidth Period〉フィールドは帯域幅の変更に応じて複数回繰り返すことができるフィールドであり、この各フィールドは帯域幅期間のセッション継続時間情報を内包し、これにより時々刻々変化する帯域幅とその継続時間を指定するようになっている。
【００２８】
そして、図３に示すように、セッション開始時に課金対象サービスシステム１１からメディエーションデバイス１３にセッション開始通知＋帯域幅値信号ＳＳ（＋Ｂ）が入力されると、メディエーションデバイス１３は、この入力に基づきセッションの開始およびセッションの帯域幅値を知り、この帯域幅値を有する第１の部分利用情報レコードＲ１を図１の場合と同様に生成して課金ソフトウェア１７に送付する。
【００２９】
その後、セッションの継続中に帯域幅が課金対象サービスシステム１１によって変更されて、課金対象サービスシステム１１からメディエーションデバイス１３に帯域幅変更通知信号ＳＣが図３に示すように入力されると、メディエーションデバイス１３は、この帯域幅変更通知信号ＳＣに基づき帯域幅の変更、帯域幅変更時刻、および該帯域幅のセッション継続時間を知ることができ、この情報を含む第３の部分利用情報レコードＲ３がメディエーションデバイス１３から課金ソフトウェア１７に供給されることになる。
【００３０】
上述したようにメディエーションデバイス１３においては例えば５秒毎の時間区分に分割されて生成される帯域幅およびセッション継続時間情報を含む複数の部分利用情報レコードＲ１，Ｒ２，Ｒ３，…，Ｒ８は、出力順に逐次メディエーションデバイス１３から課金ソフトウェア１７に送られるので、課金ソフトウェア１７では、帯域幅とそれぞれの帯域幅でのセッション継続時間を考慮パラメータとする直前の５秒枠である時間区分までの課金計算を行うことができ、１セッションの途中においても、その直前までの状況を知ることができるようになる。
【００３１】
なお、上記実施形態では、利用情報レコードを例えば５秒毎の複数の時間区分に対応して複数の部分利用情報レコードに分割しているが、本発明はこれに限定されるものでなく、例えば各時間区分が５秒などのように同じ時間区分である必要はなく、各時間区分が異なってもよいし、また複数の時間区分に分割しなくても、利用情報レコードのセッションの継続時間が例えば所定の時間より長くなると、その時点で一旦利用情報レコードを分割して部分利用情報レコードを生成して出力するなどの方法もあり、要は利用情報レコードをセッションの途中経過に逐次対応した部分利用情報レコードとして生成し出力し得ればよいものである。  なお、上記実施形態の利用情報のニア・リアルタイム取得方法の処理手順をプログラムとして例えばＣＤやＦＤなどの記録媒体に記録し、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、利用情報のニア・リアルタイム取得方法を実施する利用情報のニア・リアルタイム取得装置として機能させることができることは勿論であり、このような記録媒体を用いることにより、その流通性を高めることができるものである。
【００３２】
【発明の効果】
以上説明したように、本発明によれば、セッションの利用情報ソースから受け取る１セッション当たりの利用情報レコードをセッションの途中経過に逐次対応した部分利用情報レコードとして生成し出力するので、１セッションの途中においても、その直前までのサービス利用状況を部分利用情報レコードから知ることができ、このサービス利用状況から１セッション途中までの課金額を定めることも可能である。
【００３３】
また、本発明によれば、１セッション当たりの利用情報レコードを時系列上で複数の部分利用情報レコードに分割し、この分割された部分利用情報レコードをセッション開始時点から順次出力するので、１セッションの途中においても、その直前までのサービス利用状況を部分利用情報レコードから知ることができ、このサービス利用状況から１セッション途中までの課金額を定めることも可能である。特に、長時間のセッションの場合には、その長いセッション継続時間中でも利用情報を適宜知ることができ、有効である。
【図面の簡単な説明】
【図１】本発明の一実施形態に係る利用情報のニア・リアルタイム取得方法を説明するための図である。
【図２】図１の実施形態に使用されている利用情報レコードのフォーマットを示す図である。
【図３】本発明の他の実施形態に係る利用情報のニア・リアルタイム取得方法を説明するための図である。
【図４】図３の実施形態に使用されている帯域幅変更通知信号ＳＣを含む利用情報レコードのフォーマットを示す図である。
【図５】メディエーションデバイスに関連する周辺の回路構成を示して、利用情報レコードの取得の流れを示す図である。
【符号の説明】
１１  課金対象サービスシステム
１３  メディエーションデバイス
１７  課金ソフトウェア
【図１】
0004131908.tif 000002
【図２】
0004131908.tif 000003
【図３】
0004131908.tif 000004
【図４】
0004131908.tif 000005
【図５】
0004131908.tif 000006